(57)【要約】【課題】幅の狭い加工板を複数枚ハメ合わす事による軽量化と、蓋の開け閉めと片づけを容易にし、片づけ場所を取らず、ハメ合せた間の隙間による浴槽内の水温の温度の低下を防ぐための凹凸の加工板の形成と加工板同士の接触が常に離れない仕組みにすることにより、従来の木製の風呂蓋に比べて保温効果に優れた木製の風呂蓋を提供することにある。【解決手段】回転を損なわない程度に深くハマり合う凹状１０凸状１１と一定回転で止まる為の面１３と１４を設けた加工板２を形成しハメ合わし並列させ、紐５と弾性体の紐１７を穴に通し、弾性体の紐１７は固定部品６で固定し、紐５は弾性体４と盤７と９に通し固定部品６で固定し、両端の加工板３の位置に固定位置１９を設ける。加工板２の下部分１８により回転時に外れないようにする。【選択図】図４
2009291580.tif 000002
【特許請求の範囲】
【請求項１】
両側面を凹状と凸状に形成し、紐と弾性体の紐を通し得る穴を貫通させた加工板を複数枚ハメ合わし並列させ、紐と弾性体の紐を加工板に通し、弾性体を紐の両端の位置に設け、弾性体に紐を通し固定部品で固定し、弾性体の紐は固定部品のみとし、並列させた加工板の両末端の加工板が、紐と弾性体の紐の固定位置になる事により複数枚の加工板を１枚状にする事ができ、円く丸める動作と、戻した平面時の二面性を合わせ持つ事を特徴とする木製ロール風呂蓋。
【請求項２】
前記の加工板の両側面の凹状と凸状の形成は、凹側の部分を半円状の凹状にし、半円の一部を異なる弧に変化させ、凸側の部分も半円状の凸状にし、凹凸双方の半円状の上部に相反する角度の面を設け、凹側の下部分を長く設けることを特徴とする請求項１記載の木製ロール風呂蓋。
【請求項３】
前記の弾性体に、穴の開いた盤を用いて数枚で挟み、紐をその中に通した上で紐を固定する部品を備えた事による紐と弾性体の連動性能を持たせたことを特徴とする請求項１記載の木製ロール風呂蓋。
【請求項４】
前記の木製ロール風呂蓋の両端に位置する加工板の、紐と弾性本の紐を通し得る穴に、込み栓を設けて弾性体を使用する箇所を見えないようにし、安全面と外観に考慮したことを特徴とする第１項〜第３項いずれか記載の木製ロール風呂蓋。
【請求項５】
前記のハメ合わせた加工板の、凹凸の接触面が離れる事がなく、ハメ合わせた加工板を一定角度で回転させ円く丸めることを特徴とする第１項〜第３項いずれが記載の木製ロール風呂蓋。
【請求項６】
前記の浴槽に敷いた際の平面時において、ハメ合わせた加工板の凹凸の接触面が離れる事がなく浴槽内の水温の保温に優れることを特徴とする第１項〜第３項または第５項いずれか１項に記載の木製ロール風呂蓋。
【請求項７】
様々な浴槽の大きさと外観に応じて、ハメ合わす加工板の枚数の増減と、ロール風呂蓋の外観を浴槽に応じて形成をする事により、木製品での多種多様な浴槽に対応できることを特徴とする第１項〜第６項記載の木製ロール風呂蓋。
【発明の詳細な説明】
【技術分野】
【０００１】本発明は、木製のロール風呂蓋に関するものであります。
【背景技術】
【０００２】従来の木製の風呂蓋は、板を浴槽の大きさに応じた枚数で浴槽に横一列に並べていき使用しているものである。
【発明の開示】
【発明が解決しようとする課題】
【０００３】  従来の木製の風呂蓋は浴槽の大きさに応じた枚数を、一枚ずつ浴槽に並べていき、外す際も１枚ずつ外し、一枚の重さも約１キロから５キロあり煩わしく、お年寄りや女性や子供には特に大変でした。そして片付ける際は１枚１枚重ねるなどして置かなくてはいけなく置き場所を大きく取っていた。【０００４】  板は板目を含む物と柾目のみの物があるが、板目を含む板は湯船の湿気と温度により反り曲がり、隙間ができる場合が有り、柾目は湯船の湿気と温度による反り曲がりが略ないが、幅が広いほど価値が有り高価になる為、風呂蓋として使うには、一般に提供しやすい価格ではなく、従来使用されている風呂蓋の板は、ほとんどが提供しやすい板目を含む板を使用しており反り曲がる事で保温性が悪くなっていた。
【課題を解決するための手段】
【０００５】以下、本発明の考案を図１〜図４を参照して説明する。【０００６】  本発明は幅の狭い板の両側面を凹状と凸状に形成し、紐５と弾性体の紐１７の通し得る穴を貫通させた加工板２を複数枚ハメ合わし並列させ。紐と弾性体の紐を加工板２に、それぞれ通していき、弾性体の紐１７の両端を固定部品６で固定し、弾性体を全ての紐５の両端の位置に設け、弾性体に紐を通し固定部品で固定する。並列させた加工板の両末端の位置に在る加工板３を、紐と弾性体の紐の固定位置１９にする事により複数枚の加工板２を１枚状にする事ができ、凹凸部分の形状と、弾性体と紐の連動性能と、弾性体の紐の作用によって各一枚一枚の加工板を一定角度で回転させる事により、平面時と円く丸める動作ができる。平面の時も丸めた時も繋がり合い、凹凸の接触面が離れる事がなく、複数枚の加工板を１枚の形とした木製ロール風呂蓋。【０００７】  上記第一の課題解決手段による作用は次の通りである。平面時と丸めた状態の二面性を持たせ一定角度で円く丸める事ができる事で、容易に巻く事のできるロール風呂蓋にする事により、蓋を敷く際と片づける際の、従来の風呂蓋での煩わしさを無くし手軽さを向上させている。また、従来の風呂蓋より幅の狭い板をハメ合わせて１枚状のロール風呂蓋となるので反り曲がりが略なく、柾目の板も一般に提供しやすく、かつハメ合わせた加工板同士が深くハマり合う形状と隙間のない接触面の相互作用により、板目を含む板や、柾目の板どちらを使用した際でも、板の反り曲がりを防ぎ合う役目も果たしている。そして従来の長方形の平板に比べ、加工板の形状と狭い板を加工板に使用できる事により重量も減らす事ができ、そしてハメ合わせた板同士の隙間がないので、浴槽内の水温の保温に優れ。円く丸める事で置き場所を取らないようにしている。【０００８】  加工板２同士の回転時の一定角度とは、凹側の半円状１０と凸側の半円状１１の加工の重なり合いと、凹側の半円の一部を異なる弧に変化させた１２によって凸部とハメ合せた際にできる空間１６と、１０と１１の凹凸双方の半円状の加工部の上部に設けた、相反する角度の面１３と１４と、凸部分の半円状の加工１１から凸部分の相反する角度の面１４の付け根部分までの長さ１５を設け、その作用により加工板をハメ合わせた際の相反する角度の面１３と１４の間に空間を持たせる、それらの関係の作用により決める事ができ、消費者や製造者の好みや要求などがあった際に、応じて変更が可能であり、好みや要求に応じて加工をした際に決めた角度とするものである。【０００９】  並列した加工板同士が一定角度で円く丸まる事が出来る事により、丸める事が容易で簡単にできる効果がある。【００１０】  凹側の部分は、ハメ合わせた加工板２の回転を妨げない程度に半円状１０を深く加工し、半円の上部を異なる弧１２に変化させる。加工した板同士が回転した際に一定角度で止まるように、向かい合う凸側の面１４に対して相反する角度の面１３に加工する。下部分１８は相反する角度の面１３より前に出し回転時に凸部分から凹部分が外れないようにしている。【００１１】  凸側は凹側と同じ半円状１１に加工し、凹側の半円状１０に接する丈にする。上記同様に相反する角度の面１４に加工し、凸部分の半円状１１の加工から相反する角度の面１４の付け根部分までに幅を持たす事により、ハメ合わせた際に１３と１４の間に空間ができる効果をもたらす加工面１５を設けた凸部に加工する。【００１２】複数枚ハメ合わし一枚状のロール風呂蓋にした際の両端に位置する加工板３に、通し得た穴とは大きさの違う穴を固定位置として設ける。【００１３】  紐５を、弾性体４を使用せずにロール風呂蓋の両末端の加工板に設けた固定位置１９に固定すると、ロール風呂蓋が丸まる際に引っ張る力が紐に加わり、平面時には伸びた分が戻る、そうなると紐を使用する度に伸びる結果になり平面時と回転時に加工板２同士の間に隙間を作り、また紐の伸びと丈が足らない場合は足らない分だけ丸める事が出来ず回転を妨げるので、つねに平面時も丸めた時も均一な引き付けの力の調整によるスムーズな動作と加工板２同士の隙間が常に無い状態を可能にする為に紐５に対して弾性体４を用いる工夫をする。【００１４】  上記の動作を可能にする為に、弾性体４の両端に穴の開いた盤９と７で弾性体を挟み、盤と弾性体に紐５を通し、外側の盤７に紐の力が伝わるように固定部品６で固定し、丸めた際に紐にかかる引き付けの力を盤に挟みこまれた弾性体の伸縮により均一にし、弾性体と紐の連動性能により加工した板同士の回転時に一定角度以上の回転をしない補助効果と、平面時と丸めた際に接触面が離れる事のない１枚のロール風呂蓋。【００１５】  内側の盤９は、弾性体４の安定の為と、ロール風呂蓋の両端の加工板３に在る固定位置１９が、弾性体に加わる力により破損する事を防止する目的で設けている。【００１６】  弾性体の紐１７は、反発力を利用して丸めた物を真っ直ぐに戻す働きと、円く丸めた際に、大きな負荷がかかり過ぎた場合の加工板同士のズレを、弾性体の紐の戻る力により防ぐ補助的な役割も持つ。【００１７】込み栓８は、弾性体４や固定部品６などが万が一紐５から外れた際などに、弾性体の反発力による飛び出しによる危険と、特に低年齢層の興味による危険性と外観も考慮したものである。形成は穴に応じた形と大きさである。
【発明の効果】
【００１８】  従来の風呂蓋より幅の狭い加工板を使用し一枚のロール風呂蓋にする事により、従来広いほど高価であった柾目の板を使用する可能性ができ、柾目の高級感のある風呂蓋を提供しやすくなり、加工板の形状と狭い板を加工板に使用できる事により重量も減らす事ができ、板目を含む板と柾目の板の選択もできる事により消費者に対して幅広い対応と良品を提供できる。【００１９】  ロール風呂蓋の特性による浴槽に置く際と片づけの労力が減り、片付けた際の置き場所を取らず。入浴した際に自由な位置までロール風呂蓋を閉める事ができる事により、蓋の上の好きな位置に物や娯楽品など置く事ができる。【００２０】  木製の加工板をハメ合わせ一枚の形のロール風呂蓋にする工夫と、一枚の形にした際の外観を浴槽に合わせ形成もできる事により、多種多様な浴槽に対応できる事を可能にした。
【発明を実地するための最良の形態】
【００２１】  以下、本発明の実地の形態を図１〜図５に基づいて説明する。
【００２２】  図１は加工板２の両側面の凹状凸状と、一定の回転で止める為の面１３と１４の形成を特徴としている。
【００２３】  図２は図１の加工板２をハメ合わせ並列し、通し得た穴に紐５通し、ロール風呂蓋の両端の加工板３に設けた固定位置１９の位置に、穴の開いた盤７と９で弾性体４を挟み、盤と弾性体に紐５を通した上で固定部品６を使用する事で、平面時と円く丸めた際の紐の弛みを防ぎ、均一な引き付けと加工板同士の接触面が離れない事を可能にし、加工板をハメ合わして並列させ１枚状にする事を特徴とする。
【００２４】  図３は図１と図２の仕組みにより加工板２同士が一定角度で円く丸めた形を特徴とする。
【００２５】  図４は木製ロール風呂蓋の浴槽に敷いた際の平面時の状態を特徴とする。
【００２６】  加工に使用する板は、反り曲がりの事を考え、板目を含む板より、柾目のみの板が好ましい。
【００２７】  加工板２の凹凸の半円状１０と１１とは、円の回転性を殺さず、ハメ合せた際の凹凸部の半円状の重なりに対して必要以上の空間を設けない半円状の形状である。しかし以上を踏まえた上でなら、半円状の一部に多少の直線は可能である。
【００２８】  半円の上部を異なる弧１２に変化させる事により凸側部分と、はめ合わせた際にできた空間１６は、大きすぎるとスムーズな回転を妨げ一定角度で止まった際に、グラつくのでスムーズな回転に必要な最小限度の空間にする。
【００２９】  加工板２の幅を広くした物を使用したい場合は、丸めた際の加工板同士の一定角度が少ないと丸めた円の直径が大きくなり片づける際に場所を取る為、一定角度を決める上で加工した板の幅と、片づけを容易にする為の円の大きさを考慮する。
【００３０】  加工板をハメ合わせ一枚の形のロール風呂蓋にした際の、両端の加工板３の外側の面に丸みもしくは、角をとった面を持たせた方が安全面と外観的に良い。
【００３１】  紐５と弾性体の紐１７の通し得る穴の数は、加工板２の幅と木製ロール風呂蓋の外観の形状やロール風呂蓋の全長と回転時の角度に応じた穴の数を、加工板に貫通させる。
【００３２】  回転時の角度が多くなる程、回転時にハメ合わせた加工板２が外れやすいので、紐５と弾性体の紐１７の通し得る穴の数と、紐と弾性体の紐の本数を多くする事による対応方法もある。
【００３３】  紐５と弾性体の紐１７の本数は、加工板２の幅と木製ロール風呂蓋の外観の形状や、ロール風呂蓋の全長と重量に応じて本数は変わる。
【００３４】  紐５の通し得る穴の大きさは、紐の動きを妨げず板の強度を損なわない大きさにした方が良い。弾性体の紐１７の通し得る穴の大きさは、弾性体の紐の太さに対して同等もしくは多少の違いでよい。
【００３５】固定位置１９の穴の大きさは、内部の弾性体と盤の大きさを考慮する。しかし加工板の強度を弱くする程の大きさは良くなく、その場合は弾性体と盤の大きさを見直す必要もある。
【００３６】  紐５は加工板２の両側もしくは全体の加工板を固定し１枚の形にできる位置に設ける事が望ましいが、木製ロール風呂蓋の外観の形状に応じて位置の変更をする事も可能である。
【００３７】  弾性体の紐１７とは、シリコンゴム系や天然ゴム系や合成ゴム系などの伸縮性のある紐である。弾性体の紐の形は丸型やチューブ型や多角形型などの種類を含む。
【００３８】  弾性体４は体積弾性や形状弾性を有する、コイルスプリングや板バネやゴムやスポンジ性を、有する物などを使用する。
【００３９】  弾性体４の両端に設ける盤７と９とは、紐の引きつける力に対して変形や破損をおこさない硬さを有する金属や樹脂などの硬さのある物である。形は弾性体の動きと連動した際に穴の側面に引っ掛かるなどして、動きの邪魔にならない大きさと形状にする。枚数も以上で踏まえた内容を考慮する。
【００４０】  盤７と９の数は、素材の硬さや耐久度が不足している場合は増やす事で対応してもよい。
【００４１】紐５の固定部品６は、円く丸めた際の紐の引き付けの力と、弾性体４の伸縮の力と全体の重量に耐えうる金属や樹脂など硬さを有した物で、紐５が外れない力と要素を備えた固定部品を用いる。
【００４２】弾性体の紐１７も同じ要素の固定部品が良い。
【００４３】  浴槽の全長に応じた加工板２の枚数と、一枚状のロール風呂蓋にした際の外観の形状の加工により、多種多様な浴槽に対応できる。参考例、図５を参照。現在、従来の長方形や正方形の浴槽の他にも一部湾曲させたものや円形などがあり大きさも多種にわたっている。
【００４４】  便利上、ロール風呂蓋を一枚か二枚で蓋をするもので有るが、消費者や生産者の更なる好みや、希望の重量や浴槽の大きさに応じて、数枚のロール風呂蓋に分けて対応する事もできる。宿泊施設などによってはロール風呂蓋の枚数を更に増やす事により対応する事ができる。
【産業上の利用可能性】
【００４５】  本発明に係る木製ロール風呂蓋は工業的に量産する事が可能であるため、産業上の利用可能性を有する。
【図面の簡単な説明】
【００４６】
【図１】板の両側面に凹状と凸状の形にした加工板の外観図。
【図２】図１の加工板２をハメ合わし並列させた図１におけるＡ−Ａ線の断面図。
【図３】木製ロール風呂蓋を円く丸めた際の断面図。
【図４】木製ロール風呂蓋の平面時の外観図。
【図５】多種多様な浴槽に対応した木製ロール風呂蓋の参考例。
【符号の説明】
【００４７】  １            浴槽の平面
２            加工板
３            ロール風呂蓋の両端の加工板
４            弾性体
５            紐
６            固定部品
７            盤（外側）
８            込み栓
９            盤（内側）
１０          凹側の半円状
１１          凸側の半円状
１２          半円の一部の異なる弧
１３          凹側の相反する角度の面
１４          凸側の相反する角度の面
１５          凸側の一部に設けた加工
１６          ハメ合わせた際に出来る空間
１７          弾性体の紐
１８          凹側の下部分
１９          固定位置
２０          紐もしくは弾性体の紐
【図１】
2009291580.tif 000003
【図２】
2009291580.tif 000004
【図３】
2009291580.tif 000005
【図４】
2009291580.tif 000006
【図５】
2009291580.tif 000007